(57)【特許請求の範囲】
【請求項１】
両側側面に側壁面を具備したスロープ状のシャッタと、
当該シャッタの側壁面を覆い、シャッタを閉じたときにシャッタ表面より低い位置でシャッタ下端部を覆う筐体カバーと、
を有する、シャッタ構造。
【請求項２】
前記シャッタを閉じたときに前記シャッタ下端部を下から覆うように配置した桶を有する、請求項１記載のシャッタ構造。
【請求項３】
前記桶は、排水口を有する、請求項２記載のシャッタ構造。
【請求項４】
シャッタ上端に壁面を設け、当該壁面が前記筐体カバーに覆われるようにした、請求項３記載のシャッタ構造。
【請求項５】
請求項１記載のシャッタ構造を備えた、自動取引装置。
【請求項６】
請求項４記載のシャッタ構造を備えた、自動取引装置。
【発明の詳細な説明】
【技術分野】
【０００１】
本発明は、現金等の媒体を投入して所望の取引を行う現金自動預払機等の自動取引装置におけるシャッタ構造に関するものである。
【背景技術】
【０００２】
現金自動預払機等の自動取引装置では、一般に、入出金を行う紙幣を収容する収納部は紙幣が立位に収容されるような構造となっており、このような構造の場合、入出金口のシャッタは水平もしくは手前に傾斜した構造となっている。このようなシャッタ構造の場合、飲み物などの液体がシャッタにかかったり、外壁設置の自動取引装置などではシャッタが雨水など（以下、「水等」という）にさらされたりすると、シャッタと装置筐体の隙間から水等が自動取引装置内に侵入して装置故障の原因となる。
【０００３】
このため、特許文献１（段落００４６〜段落００６１、図８〜図１１）に記載の従来技術では、シャッタ３０２に適度な傾斜を持たせ、その左右端に壁３０２ｂおよび３０２ｃを設けることで、排水路３１５に水等を導き、排水路３１５は排水口３１７にむけて傾斜させ、排水効率を上げる構造としていた。
【０００４】
さらに、微量な雨量の場合でも排水できるようにシャッタ下端に左右への傾斜を有するが突起３４０を設けて突起３４０に沿って排水できるようにし、シャッタ表面に排水しきれない水等が残った場合でも、シャッタ３０２が開くときに残留した水等が突起３４０の左右への傾斜をたどって左右の排水路３１６ａおよび３１６ｂに排水されるような構造としていた（例えば、特許文献１参照。）。
【先行技術文献】
【特許文献】
【０００５】
【特許文献１】特許３９５９２９７号公報
【発明の概要】
【発明が解決しようとする課題】
【０００６】
しかしながら、上記従来の自動取引装置のシャッタ構造では、傾斜したシャッタ３０２の下端が筐体表面３１３より下に窪んだ形状となっており、飲み物をこぼすなど大量の水等がシャッタ面に侵入した場合、水等の排出先が排水路しかなく、排水能力が追いつかず排水路から溢れてしまうという問題があった。
【０００７】
上記問題を解決するために、排水路３１５を排水口３１７にむけてさらに傾斜をつけて排水効率を上げるようにすると、傾斜させるための容積が必要になり、装置の小型化の妨げとなるという問題があった。
【０００８】
さらに、シャッタの下端が筐体表面より下に入り込む形状となっているため、重なった部分のシャッタ表面に水等が残りやすく、取引がなく長い間シャッタを開く動作がない状態が続いた場合では、水等が残留しつづけシャッタ下端が不潔な状態となってしまうという問題があった。
【課題を解決するための手段】
【０００９】
本発明は、前述の課題を解決するため次の構成を採用する。すなわち、両側側面に側壁面を具備したスロープ状のシャッタと、当該シャッタの側壁面を覆い、シャッタを閉じたときにシャッタ面より低い位置でシャッタ下端部を覆う筐体カバーと、排水口を有し、シャッタを閉じたときに前記シャッタ下端部を下から覆うように配置した樋とを備えた。
【発明の効果】
【００１０】
本発明の自動取引装置によれば、両側側面に側壁面を具備したスロープ状のシャッタと、当該シャッタの側壁面を覆い、シャッタを閉じたときにシャッタ面より低い位置でシャッタ下端部を覆う筐体カバーと、排水口を有し、シャッタを閉じたときに前記シャッタ下端部を下から覆うように配置した樋とを備えたので、排水構造を大型化することなく十分な排水量を得ることができ、排水が追いつかなくなることもなく、シャッタ面に水等が溜まることを防止することができる。
【図面の簡単な説明】
【００１１】
【図１】実施例１の自動取引装置の概観斜視図である。
【図２】実施例１の自動取引装置の図１矢印Ａ方向から見た側面図である。
【図３】実施例１の自動取引装置の制御系ブロック図である。
【図４】実施例１の自動取引装置のシャッタ周辺の構成図である。
【図５】実施例１の自動取引装置の図４のＸ−Ｘ断面図である。
【図６】実施例１の自動取引装置の図４のＹ−Ｙ断面図である。
【発明を実施するための形態】
【００１２】
以下、本発明に係わる実施の形態例を、図面を用いて説明する。図面に共通する要素には同一の符号を付す。なお、以下の実施例の説明では、紙幣入出金口のシャッタを例として説明するが、硬貨入出金口等のシャッタについても同様に本発明を適用することができる。
【実施例１】
【００１３】
（構成）
実施例１の自動取引装置は、図１のような外観をしており、硬貨入出金口２、紙幣入出金口３、操作部４、通帳挿入口５、カード挿入口６を備えている。
【００１４】
硬貨入出金口２および紙幣入出金口３は、それぞれ硬貨、紙幣が投入されるとともに、これらが排出される開口部である。硬貨入出金口２および紙幣入出金口３には、それぞれシャッタ４１が設けられ、シャッタ４１が駆動されることにより硬貨入出金口２および紙幣入出金口３がそれぞれ開閉される。これらの奥部には、後述する硬貨および紙幣の入出金処理を行う硬貨処理部２５および紙幣処理部２６が設けられている。
【００１５】
通帳挿入口５は、取引で使用される通帳がここから挿入され、取引が終了すると通帳が排出される部分で、その奥部には、後述する通帳処理部２３が設けられている。カード挿入口６は、カードが挿入または排出される部分で、その奥部には、後述するカード処理部２１が設けられている。
【００１６】
操作部４は、取引に際して操作画面を表示するＬＣＤと、取引選択、暗証番号や取引金額などを入力するタッチパネルが一体化されて構成される。
【００１７】
図２は、実施例１の自動取引装置の内部構成を示し図１の矢印Ａ方向から見た側面図である。なお、硬貨処理部２５は簡略化のために省略している。同図に示したように、実施例１の自動取引装置の内部は、利用者が操作する操作部４や紙幣入出金口３などからなる接客部３８、紙幣の真偽を判定する鑑別部３９、入金紙幣を一時的に保留する一時保留部３０、そして、装置下側には、紙幣貯蔵部３１として金種別のカセットが設けられている。
【００１８】
また、精査取引時のリジェクト紙幣や利用者が受け取らなかったリジェクト紙幣などを収納しておくリジェクト紙幣収納部３３が設けられている。
【００１９】
次に、実施例１の自動取引装置の制御系は、図３の制御系ブロック図に示したように、後述の各部の制御を行う主制御部２０と、表示されるガイダンスに従い利用者が操作する操作部４とが設けられている。後述するシャッタ開閉動作は主制御部２０の制御に基づいて行われる。
【００２０】
さらに、実施例１の自動取引装置の制御系には、キャッシュカード等に記録された口座番号等の情報のリードライトを行うカード処理部２１、操作ガイダンス等を音声出力する音声案内部２２、口座番号等の情報が記録された通帳の磁気ストライプのリードライトおよび通帳への印字制御を行う通帳処理部２３、取引明細を印字出力する明細票処理部２４、硬貨の入出金制御を行う硬貨処理部２５、紙幣の入出金制御を行う紙幣処理部２６が設けられている。
【００２１】
さらに、各部に電源を供給する電源部２７、主制御部２０の記憶部であり各種の制御パラメータを格納できる記憶手段としてのメモリ部２８、ホストコンピュータ５０とのインタフェイスを制御するインタフェイス部２９が設けられている。
【００２２】
次に、実施例１の自動取引装置１のシャッタ構造を図４ないし図６の構造図を用いて以下詳細に説明する。なお、図４がシャッタ周辺の概観斜視図であり、図５が図４のＸ−Ｘ断面図であり、図６が図４のＹ−Ｙ断面図を示している。
【００２３】
実施例１の自動取引装置１のシャッタ４１は、図６に示したようにスロープ状となっており、図５のようにシャッタ４１の両側側面に側壁面４５が設けられ、この側壁面４５が筐体カバー４２に覆われる構造となっている。
【００２４】
また、図６左下に示したように、シャッタ下端部４７は、シャッタ４１を閉じたときに筐体カバー４２に覆われる構成となっており、シャッタ下端部４７を覆う筐体カバー４２は、シャッタ面４８より低い位置となるようになっている。
【００２５】
シャッタ下端部４７の下側には樋４３が配置され、樋４３は排水口４４を有し、その先には排水口４４からの水等を溜める水溜部５３が設けられている。なお、水溜部５３を設けることなく、水等をガイドして筐体に沿って落下させるようにすれば水溜部５３を設けなくてもよい。
【００２６】
また、シャッタ上端５１にも上端壁面５２を有し、筐体カバー４２に覆われる構造となっている。
【００２７】
（動作）
以上の構成により、実施例１の自動取引装置のシャッタ４１は以下のように動作する。
【００２８】
まず、自動取引装置１の利用者が操作部４により、例えば、紙幣の入金取引を選択すると、主制御部２０の制御に基づき、紙幣入出金口３のシャッタ４１を開いて紙幣の投入を促す。このシャッタ４１を開く動作では、図６に示したシャッタ動作４６の矢印Ｈのようにシャッタ下端部４７が上方に向かうように移動する。
【００２９】
そして、一旦、シャッタ４１を閉め、入金紙幣の計数を行い、正常に計数すると入金取引を終了する。このときのシャッタ４１を閉める動作では、前述の開くときの動作の逆の動作となり、シャッタ下端部４７が矢印Ｈとは反対方向に移動する。このように入出金取引を行わない状態では、シャッタ４１が閉まった図６の状態が維持され、外部からの雨水や飲み物などの水等が装置内に流入することを防止する。
【００３０】
そして、シャッタ４１が閉まった状態で、シャッタ面４８に水等がかかると、図５のようにシャッタ１の側面に側壁面４５が設けられているので、水等はスロープ状になったシャッタ面４８に沿って下側に流れる。
【００３１】
このとき、シャッタ下端部４７は、シャッタ面４８より低い面からなる筐体カバー４２で覆われているので、水等の大部分は図６矢印Ｄのようにシャッタ面４８から筐体カバー面へと向かう主水路９を経て排水される。
【００３２】
残りの水等はシャッタ下端部４７底面を覆う樋４３に流れ、樋４３に設けられた排水口４４へと向かう副水路５０を経て排水される。
【００３３】
以上のように実施例１の自動取引装置１のシャッタ構造は作用するので、排水構造を大型化することなく十分な排水量を得ることができ、排水が追いつかなくなることもなく、シャッタ面４８に水等が溜まることもない。
【００３４】
また、シャッタ上端５１にも上端壁面５２を有し、筐体カバー４２に覆われる構造となっているので、スロープの傾きが少ない水平状のシャッタ４１においてもシャッタ上端５１側から装置内に水等が流入することがない。
【００３５】
また、以上のように作用するので、甘味料の入った飲み物などをシャッタ４１上にこぼし甘味料がシャッタ４１上に付着した場合でも、多量の水をその上から流して甘味料を洗い流すこともできる。
【００３６】
（実施例１の効果）
以上詳細に述べたように実施例１の自動取引装置によれば、両側側面に側壁面を具備したスロープ状のシャッタと、当該シャッタの側壁面を覆い、シャッタを閉じたときにシャッタ面より低い位置でシャッタ下端部を覆う筐体カバーと、排水口を有し、シャッタを閉じたときに前記シャッタ下端部を下から覆うように配置した樋とを備えたので、排水構造を大型化することなく十分な排水量を得ることができ、排水が追いつかなくなることもなく、シャッタ面に水等が溜まることを防止することができる。
【産業上の利用可能性】
【００３７】
以上述べたように、本発明は、シャッタを開閉し紙幣等の媒体を投入して所望の取引を行う現金自動預払機等の自動取引装置に広く用いることができる。
【符号の説明】
【００３８】
１    自動取引装置
２    硬貨入出金口
３    紙幣入出金口
４    操作部
２０  主制御部
２６  紙幣処理部
４１  シャッタ
４２  筐体カバー
４３  桶
４４  排水口
４７  シャッタ下端
４８  シャッタ面
４９  主水路
５０  副水路
５１  シャッタ上端
５２  壁面
【図１】
0005454155.tif 000002
【図２】
0005454155.tif 000003
【図３】
0005454155.tif 000004
【図４】
0005454155.tif 000005
【図５】
0005454155.tif 000006
【図６】
0005454155.tif 000007